(57)【特許請求の範囲】
【請求項１】
長手方向に任意な間隔で公差を有して複数個の検査対象物が配設された長尺検査対象体において、前記検査対象物の相対位置を検査する相対位置検査方法であって、
前記複数個の検査対象物のうちの一つを支承する支承手段を基台に固定して基準支承手段となし、
この基準支承手段に隣接する前記検査対象物を夫々支承する支承手段を、前記基台上に相対移動可能に搭載して可動支承手段となすと共に、
これらの可動支承手段が支承する検査対象物の、前記基準支承手段と反対側に隣接する検査対象物を夫々支承する支承手段を、前記可動支承手段上に相対移動可能に順次繰り返し積層して搭載し可動支承手段をなす一方、
これら各支承手段に前記長尺検査対象体の検査対象物全数を装着し、前記可動支承手段の各々に取り付けられた１本の触針が、
これらの可動支承手段が搭載された基台及び可動支承手段の各々に取り付けられた電極の何れかに接触することにより通電して、ＮＧ信号を出力させることを特徴とする検査対象物の相対位置検査方法。
【請求項２】
前記触針の各々を長手方向に挟み込んで、前記基台及び可動支承手段の各々に電極を２本ずつ配設し、前記支承手段の各間隔を、前記長尺検査対象体の検査対象物各間隔の寸法公差における最少寸法としたとき、これら２本の電極のうち前記基準支承手段と反対側の１本が前記触針に接触して通電する一方、前記支承手段の各間隔を、前記長尺検査対象体の検査対象物各間隔の寸法公差における最大寸法としたとき、これらの電極の他の１本が前記触針に接触して通電することを特徴とする請求項１に記載の検査対象物の相対位置検査方法。
【請求項３】
前記電極の全数に特定可能な識別記号を付与し、前記可動支承手段の各々に取り付けられた触針が、前記電極の何れかに接触し通電してＮＧ信号を出力する際、何れの位置の検査対象物間の間隔において最大値、最小値の何れの寸法公差が不合格かを特定可能な信号出力とすることを特徴とする請求項１または２に記載の検査対象物の相対位置検査方法。
【請求項４】
前記長尺検査対象体がコモンレールシステム用リターンホースであって、前記検査対象物がＴ字継手、Ｌ字継手及び／または逆止弁からなることを特徴とする請求項１乃至３のうちの何れか一つの項に記載の検査対象物の相対位置検査方法。
【請求項５】
長手方向に任意な間隔で公差を有して複数個の検査対象物を配設された長尺検査対象体において、前記検査対象物の相対位置を検査する相対位置検査装置であって、
前記複数個の検査対象物を夫々装着してこれらを支承する支承手段と、これらの支承手段を直接的または間接的に搭載する基台とが備えられると共に、
前記支承手段が、
これらの支承手段のうちの一つを前記基台に固定された基準支承手段と、
この基準支承手段に隣接する前記検査対象物を夫々支承する支承手段が、前記基台上に相対移動可能に搭載された可動支承手段と、
これらの可動支承手段が支承する検査対象物の、前記基準支承手段と反対側に隣接する検査対象物を夫々支承する支承手段が、前記可動支承手段上に相対移動可能に順次繰り返し積層して搭載された可動支承手段とからなる一方、
前記可動支承手段の各々に取り付けられた１本の触針と、これらの可動支承手段が搭載された基台及び可動支承手段の各々に取り付けられた電極とを含む通電回路が夫々構成され、前記触針が前記電極の何れかに接触することにより通電して、ＮＧ信号を出力する様に構成されたことを特徴とする検査対象物の相対位置検査装置。
【発明の詳細な説明】
【技術分野】
【０００１】
本発明は、長手方向に任意な間隔で公差を有して複数個の検査対象物が配設された長尺検査対象体において、前記検査対象物の相対位置を検査する相対位置検査方法及び装置に関する。
【背景技術】
【０００２】
長手方向に所定の間隔で、公差を有して複数個の検査対象物が配設された長尺な中間工業製品が存在する。この様な中間工業製品においては、次工程の組立作業時に支障を来たさない様、事前に前記検査対象物の相対位置を検査する必要がある。
【０００３】
例えば、この様な中間工業製品の例として、ディーゼルエンジンのコモンレールシステム用リターンホースについて、添付図２を参照しながら説明する。図２は、コモンレールシステム用リターンホースを説明するための外形図である。このリターンホース１１は、４気筒ディーゼルエンジンの各気筒毎にあるインジェクター間を配管するリターンホースであり、前記インジェクターに接続するためのＬ字継手１２ａとＴ字継手１２ｂ〜１２ｄと燃料の逆流防止のための逆止弁１２ｅとを配設され、これらの継手１２ａ〜１２ｄと逆止弁１２ｅとを、各ホース１３により連結して構成されている。符号１４は、ホース１３を保護するためのプロテクタである。
【０００４】
そして、このリターンホース１１に配設されたＬ字継手１２ａ、Ｔ字継手１２ｂ〜１２ｄ及び逆止弁１２ｅの相対的位置は、夫々のホース１３によって連結され隣接する継手１２ａ〜１２ｄあるいは逆止弁１２ｅ夫々の間隔Ｌ１〜Ｌ４が、図２に示す如く所定の寸法公差に収まる様に組立てられていなくてはならない。しかしながら、この様な寸法公差は、例えば、左端のＬ字継手１２ａを基準として、右方向に各Ｔ字継手１２ｂ〜１２ｄと逆止弁１２ｅとの寸法を順次追って決められたものではないので、各間隔Ｌ１〜Ｌ４毎に検査する必要があり、マニュアルで検査するのが非常に煩雑であり検査精度も得にくい。
【０００５】
一方、従来例に係る接点の溶接位置検査方法につき、添付図３を参照しながら説明する。図３は、従来例に係る接点の溶接位置検査方法を示す斜視図である。この従来例に係る接点の溶接位置検査方法によれば、基準孔３３を有する板ばね３１に接点３２が溶接されてなる接点ばね２１の製造において、検査治具５０に設けられた基準ピン５１に前記接点ばね２１の基準孔３３を嵌挿する。
【０００６】
そして、前記検査治具５０の上面に開口し許容誤差範囲内に溶接された前記接点３２が挿入可能な溝５２と、この溝５２の側方に設けられ前記接点３２の位置が許容誤差範囲内であれば、前記接点３２の側方により遮蔽されるスリット５３を利用して、前記接点３２の溶接位置の良否判定を行うものである（特許文献１参照）。
【０００７】
この様な接点の溶接位置検査方法を、上述した様なリターンホース１１を構成するＬ字継手１２ａ、Ｔ字継手１２ｂ〜１２ｄ及び逆止弁１２ｅの相対的位置検査に適用することは原理的には可能であるが、各間隔Ｌ１〜Ｌ４毎に前記検査治具５０に相当する検査治具を製作する必要がある上、何種類もある前記リターンホース１１全品種に対応して準備しなくてはならないという問題点がある。
【特許文献１】特開平３−２１６２９１号公報
【発明の開示】
【発明が解決しようとする課題】
【０００８】
本発明は、以上の様な状況に鑑みなされたものであって、本発明の目的とするところは、長手方向に任意な間隔で公差を有して複数個の検査対象物が配設された長尺検査対象体において、１台の検査装置により、前記検査対象物の相対位置を瞬時に検査可能な相対位置検査方法及び装置を提供するものである。
【課題を解決するための手段】
【０００９】
本発明の請求項１に係る検査対象物の相対位置検査方法が採用した手段は、長手方向に任意な間隔で公差を有して複数個の検査対象物が配設された長尺検査対象体において、前記検査対象物の相対位置を検査する相対位置検査方法であって、前記複数個の検査対象物のうちの一つを支承する支承手段を基台に固定して基準支承手段となし、この基準支承手段に隣接する前記検査対象物を夫々支承する支承手段を、前記基台上に相対移動可能に搭載して可動支承手段となす。
【００１０】
そして同時に、これらの可動支承手段が支承する検査対象物の、前記基準支承手段と反対側に隣接する検査対象物を夫々支承する支承手段を、前記可動支承手段上に相対移動可能に順次繰り返し積層して搭載し可動支承手段をなす一方、これら各支承手段に前記長尺検査対象体の検査対象物全数を装着し、前記可動支承手段の各々に取り付けられた１本の触針が、これらの可動支承手段が搭載された基台及び可動支承手段の各々に取り付けられた電極の何れかに接触することにより通電して、ＮＧ信号を出力させることを特徴とするものである。
【００１１】
本発明の請求項２に係る検査対象物の相対位置検査方法が採用した手段は、請求項１に記載の検査対象物の相対位置検査方法において、前記触針の各々を長手方向に挟み込んで、前記基台及び可動支承手段の各々に電極を２本ずつ配設し、前記支承手段の各間隔を、前記長尺検査対象体の検査対象物各間隔の寸法公差における最少寸法としたとき、これら２本の電極のうち前記基準支承手段と反対側の１本が前記触針に接触して通電する一方、前記支承手段の各間隔を、前記長尺検査対象体の検査対象物各間隔の寸法公差における最大寸法としたとき、これらの電極の他の１本が前記触針に接触して通電することを特徴とするものである。
【００１２】
本発明の請求項３に係る検査対象物の相対位置検査方法が採用した手段は、請求項１または２に記載の検査対象物の相対位置検査方法において、前記電極の全数に特定可能な識別記号を付与し、前記可動支承手段の各々に取り付けられた触針が、前記電極の何れかに接触し通電してＮＧ信号を出力する際、何れの位置の検査対象物間の間隔において最大値、最小値の何れの寸法公差が不合格かを特定可能な信号出力とすることを特徴とするものである。
【００１３】
本発明の請求項４に係る検査対象物の相対位置検査方法が採用した手段は、請求項１乃至３のうちの何れか一つの項に記載の検査対象物の相対位置検査方法において、前記長尺検査対象体がコモンレールシステム用リターンホースであって、前記検査対象物がＴ字継手、Ｌ字継手及び／または逆止弁からなることを特徴とするものである。
【００１４】
本発明の請求項５に係る検査対象物の相対位置検査装置が採用した手段は、長手方向に任意な間隔で公差を有して複数個の検査対象物を配設された長尺検査対象体において、前記検査対象物の相対位置を検査する相対位置検査装置であって、この相対位置検査装置が、前記複数個の検査対象物を夫々装着してこれらを支承する支承手段と、これらの支承手段を直接的または間接的に搭載する基台とが備えられている。
【００１５】
同時に、前記支承手段が、これらの支承手段のうちの一つを前記基台に固定された基準支承手段と、この基準支承手段に隣接する前記検査対象物を夫々支承する支承手段が、前記基台上に相対移動可能に搭載された可動支承手段と、これらの可動支承手段が支承する検査対象物の、前記基準支承手段と反対側に隣接する検査対象物を夫々支承する支承手段が、前記可動支承手段上に相対移動可能に順次繰り返し積層して搭載された可動支承手段とからなる。
【００１６】
一方、前記可動支承手段の各々に取り付けられた１本の触針と、これらの可動支承手段が搭載された基台及び可動支承手段の各々に取り付けられた電極とを含む通電回路が夫々構成され、前記触針が前記電極の何れかに接触することにより通電して、ＮＧ信号を出力する様に構成されたことを特徴とするものである。
【発明の効果】
【００１７】
本発明の請求項１に係る検査対象物の相対位置検査方法によれば、長尺検査対象体における複数個の検査対象物の相対位置を検査する相対位置検査方法であって、前記複数個の検査対象物のうちの一つを支承する支承手段を基台に固定して基準支承手段となし、この基準支承手段に隣接する前記検査対象物を夫々支承する支承手段を、前記基台上に相対移動可能に搭載して可動支承手段となすと共に、これらの可動支承手段が支承する検査対象物の、前記基準支承手段と反対側に隣接する検査対象物を夫々支承する支承手段を、前記可動支承手段上に相対移動可能に順次繰り返し積層して搭載し可動支承手段をなす。
【００１８】
一方、これら各支承手段に前記長尺検査対象体の検査対象物全数を装着し、前記可動支承手段の各々に取り付けられた１本の触針が、これらの可動支承手段が搭載された基台及び可動支承手段の各々に取り付けられた電極の何れかに接触することにより通電して、ＮＧ信号を出力させる様に構成したので、長尺検査対象体の検査対象物を前記支承手段に装着することによって、複数個の前記検査対象物の相対位置を瞬時に検査可能である。
【００１９】
また、本発明の請求項２に係る検査対象物の相対位置検査方法によれば、前記触針の各々を長手方向に挟み込んで、前記基台及び可動支承手段の各々に電極を２本ずつ配設し、前記支承手段の各間隔を、前記長尺検査対象体の検査対象物各間隔の寸法公差における最少寸法としたとき、これら２本の電極のうち前記基準支承手段と反対側の１本が前記触針に接触して通電する一方、前記支承手段の各間隔を、前記長尺検査対象体の検査対象物各間隔の寸法公差における最大寸法としたとき、これらの電極の他の１本が前記触針に接触して通電するので、検査対象物の相対位置が寸法公差内にあるか否かを瞬時に判定可能となる。
【００２０】
更に、本発明の請求項３に係る検査対象物の相対位置検査方法によれば、前記電極の全数に特定可能な識別記号を付与し、前記可動支承手段の各々に取り付けられた触針が、前記電極の何れかに接触し通電してＮＧ信号を出力する際、何れの位置の検査対象物間の間隔において最大値、最小値の何れの寸法公差が不合格かを特定可能な信号出力とするので、検査対象物のうち何れの相対位置が寸法公差を外れているかを瞬時に識別可能となる。
【００２１】
また更に、本発明の請求項４に係る検査対象物の相対位置検査方法によれば、前記長尺検査対象体がコモンレールシステム用リターンホースであって、前記検査対象物がＴ字継手、Ｌ字継手及び／または逆止弁からなるので、コモンレールシステム用リターンホースの継手の相対位置を簡便な方法により検査可能となる。
【００２２】
一方、本発明の請求項５に係る検査対象物の相対位置検査装置によれば、長手方向に任意な間隔で公差を有して複数個の検査対象物を配設された長尺検査対象体において、前記検査対象物の相対位置を検査する相対位置検査装置であって、この相対位置検査装置が、前記複数個の検査対象物を夫々装着してこれらを支承する支承手段と、これらの支承手段を直接的または間接的に搭載する基台とが備えられている。
【００２３】
同時に、前記支承手段が、これらの支承手段のうちの一つを前記基台に固定された基準支承手段と、この基準支承手段に隣接する前記検査対象物を夫々支承する支承手段が、前記基台上に相対移動可能に搭載された可動支承手段と、これらの可動支承手段が支承する検査対象物の、前記基準支承手段と反対側に隣接する検査対象物を夫々支承する支承手段が、前記可動支承手段上に相対移動可能に順次繰り返し積層して搭載された可動支承手段とからなる。
【００２４】
そして、前記可動支承手段の各々に取り付けられた１本の触針と、これらの可動支承手段が搭載された基台及び可動支承手段の各々に取り付けられた電極とを含む通電回路が夫々構成され、前記触針が前記電極の何れかに接触することにより通電して、ＮＧ信号を出力する様に構成されたので、長尺検査対象体の検査対象物を前記支承手段に装着することによって、複数個の前記検査対象物の相対位置を瞬時に検査可能な検査対象物の相対位置検査装置を提供し得る。
【発明を実施するための最良の形態】
【００２５】
以下、本発明に係る実施の形態について、添付図１及び前図２を参照しながら説明する。図１は、本発明の実施の形態に係るコモンレールシステムにおけるリターンホースの継手や逆止弁の相対位置検査方法及び装置を説明するための模式図である。
【００２６】
本発明の実施の形態に係るリターンホースの継手や逆止弁の相対位置検査装置１は、Ｌ字継手１２ａ、Ｔ字継手１２ｂ，１２ｃ，１２ｄ及び逆止弁１２ｅ（検査対象物）を、所定寸法に切断された短尺ホース１３によって、Ｌ１〜Ｌ４の所定間隔で所定の公差を有して接続されたリターンホース（長尺検査対象体）１１において、前記検査対象物１２の相対位置、即ち、前記Ｌ字継手１２ａ、Ｔ字継手１２ｂ，１２ｃ，１２ｄ及び逆止弁１２ｅ間の夫々の寸法Ｌ１〜Ｌ４を検査するものである。
【００２７】
この相対位置検査装置１には、前記５個の検査対象物１２が装着されて、これらの検査対象物１２を支承する支承手段２と、これらの支承手段２を直接的または間接的に搭載する基台３とが備えられている。そして、前記支承手段２の一つには、前記５個の検査対象物１２の真中に配置されたＴ字継手１２ｃを装着可能とされ、前記基台３に固定された支承部材４ｃからなる基準支承手段２ｃが備えられている。
【００２８】
また、他の支承手段２としては、前記基準支承手段２ａが支承するＴ字継手１２ｃの両側に隣接する検査対象物１２、即ち、Ｔ字継手１２ｂ，１２ｄが夫々装着されてこれらを支承する支承部材４ｂ，４ｄと、これらの支承部材４ｂ，４ｄが夫々固定され、前記基台３上に相対移動可能に搭載されたスライド台５ｂ，５ｄとによって構成される可動支承手段２ｂ，２ｄとが備えられている。
【００２９】
更に、その他の支承手段２として、前記可動支承手段２ｂ，２ｄが支承するＴ字継手１２ｂ，１２ｄの、前記基準支承手段２ａと反対側に隣接する前記検査対象物１２、即ち前記Ｌ字継手１２ａと逆止弁１２ｅとが夫々装着されてこれらを支承する支承部材４ａ，４ｅと、これらの支承部材４ａ，４ｅが夫々固定され、前記可動移動手段２ｂ，２ｄ上に相対移動可能に積層して搭載されたスライド台５ａ，５ｅとによって構成される可動支承手段２ａ，２ｅとが備えられている。
【００３０】
そして、前記検査対象物１２の個数が更に多数、即ち、前記Ｌ字継手１２ａと逆止弁１２ｅの、前記基準支承手段２ｃと反対側に隣接して図示しない検査対象物１２がある場合は、これらの検査対象物１２が夫々装着されてこれらを支承する図示しない支承手段が、前記可動支承手段２ａ，２ｅ上に夫々相対移動可能に繰り返し積層して搭載され可動支承手段をなす様に構成される。
【００３１】
ここで、前記可動支承手段２ａ，２ｂ，２ｄ，２ｅの全てを基台３上に相対移動可能に搭載せず、前記Ｔ字継手１２ａ及び逆止弁１２ｅを支承する前記可動支承手段２ａ，２ｅを、夫々可動支承手段２ｂ，２ｄ上に相対移動可能に搭載することが肝要である。この様に構成した理由は、前記検査対象物１２間の間隔Ｌ１〜Ｌ４夫々に、図２に示した寸法公差が規定されているため、これらの寸法公差が誤差として集積されることを防ぐためである。
【００３２】
また、前記基台３に固定された前記基準支承手段２ｃは、このリターンホース１１に配設された複数個の検査対象物１２が図２に示す如く奇数個であれば、その一端側から数えて真中に位置する検査対象物１２を支承する支承手段２であるのが好ましい。一方、前記検査対象物１２の個数が偶数個の場合は、それらの真中に相当する検査対象物１２が存在しないため、真中に近い２個の検査対象物１２のうち何れか一方を支承する支承手段２を、基準支承手段２ｃとするのが好ましい。この様に構成すると、前記可動支承手段に積層して搭載する階層を低減して、相対位置検査装置１の構成を簡素化できるためである。
【００３３】
更に、本発明の実施の形態に係るリターンホースの継手や逆止弁の相対位置検査装置１には、前記基台３及び可動支承手段２ａ，２ｂ，２ｄ，２ｅのスライド台５ａ，５ｂ，５ｄ，５ｅに、各１本の触針６ａ，６ｂ，６ｄ，６ｅが取り付けられている。そして、前記触針６ａを挟み込む様に、前記可動支承手段２ａが搭載された可動支承手段２ｂのスライド台５ｂに、２本の電極７ａ，８ａが長手方向に対向して取り付けられている。
【００３４】
同様に、前記触針６ｂ，６ｄを夫々挟み込む様に、前記可動支承手段２ｂ，２ｄ各々が搭載された基台３に、２本の電極７ｂ，８ｂ及び７ｄ，８ｄが夫々長手方向に対向して取り付けられている。更に、触針６ｅを挟み込む様に、可動支承手段２ｅが搭載された可動支承手段２ｄのスライド台５ｄに、２本の電極７ｅ，８ｅが長手方向に対向して取り付けられている。
【００３５】
更に、前記可動支承手段２ａ，２ｂ，２ｄ，２ｅのスライド台５の夫々に、水平方向に各１本取り付けられた触針６と、これらの可動支承手段２ａ，２ｂ，２ｄ，２ｅが搭載された基台３または可動支承手段５ｂ，５ｄの各々に取り付けられた電極７，８とを夫々含む図示しない通電回路が構成され、前記触針６が前記電極７，８の何れかに接触することにより通電して、ＮＧ信号を出力する様に構成されている。
【００３６】
即ち、例えば、前記可動支承手段２ａにおいては、前記触針６ａと電極７ａとを接点とする通電回路が形成されると共に、前記触針６ａと電極８ａとを接点とする別の通電回路も形成されている。そして、前記触針６ａが前記電極７ａまたは８ａの何れかに接触することにより通電して、ＮＧ信号を出力する様に構成されている。その他の可動支承手段２ｂ，２ｄ，２ｅにおいても同様に、触針６ｂと電極７ｂまたは８ｂ、触針６ｄと電極７ｄまたは８ｄ及び触針６ｅと電極７ｅまたは８ｅを夫々の接点とする独立した通電回路が形成されている。
【００３７】
そして、例えば、可動支承手段２ｂにおいて、基準支承部材４ｃの軸心を起点として前記可動支承手段２ｂを基台３上で可動させ、前記基準支承部材４ｃの軸心から支承部材４ｂの軸心までの間隔Ｌ２を、図２に示す如く、前記長尺検査対象体１１におけるＴ字継手１２ｂ，１２ｃ間の間隔の寸法公差における最少寸法（Ｓ２−０）としたとき、前記可動支承手段２ｂの触針６ｂに対応する２本の電極７ｂ，８ｂのうち前記基準支承手段２ｃと反対側の１本、即ち、電極７ｂが前記触針６ｂに接触して通電されるように配設されている。
【００３８】
一方、前記基準支承部材４ｃの軸心を起点とし前記可動支承手段２ｂを基台３上で可動させ、前記基準支承部材４ｃの軸心から支承部材４ｂの軸心までの間隔Ｌ２を、図２に示す如く、前記長尺検査対象体１１のＴ字継手１２ｂ，１２ｃ間の間隔の寸法公差における最大寸法（Ｓ２＋Ｃ２）としたとき、前記可動支承手段２ｂの触針６ｂに対応する電極の他の１本、即ち電極８ｂが前記触針６ｂに接触して通電されるように配設されている。
【００３９】
但し、例えば、前記検査対象物１２の間隔Ｌ２の寸法が、１２０±１（ｍｍ）の如く、最少寸法公差がマイナス値で規定される場合は、１１９−０〜１１９＋２（ｍｍ）の如く、前記最少寸法公差が０となる様に書き換えて、前記電極７，８を配設することが肝要である。
【００４０】
そして、前記電極７，８の全数には、特定可能な識別記号、例えば、整数１，２，……やローマ字Ａ，Ｂ，……等が付与されている。そして、前記可動支承手段２ａ，２ｂ，２ｄ，２ｅの各々に取り付けられた触針６が、前記電極７，８の何れかに接触し通電してＮＧ信号を出力する際、何れの検査対象物１２間の間隔の最大寸法、最小寸法のうち、何れの相対位置が不合格かを特定可能な信号を出力可能とされているのが好ましい。即ち、ＮＧが検出された電極７，８に該当する識別記号が付与されたランプを点灯したり、該当する識別記号を表示器に表示したりすることが可能である。
【００４１】
更に、前記触針６が前記電極７，８の何れにも接触せず、前記ＮＧ信号が出力されない場合は、前記リターンホース１１の何処か、例えば、基準支承手段２ｃに装着されたＴ字継手１２ｄの上面に、自動的に合格マーキングするマーキング装置を備えたものが好ましい。前記マーキング装置としては、刻印装置や印字装置を用いることができる。
【００４２】
以上の通り、本発明に係る検査対象物の相対位置検査方法または装置によれば、この様な相対位置検査装置１において、これら各支承手段２にリターンホース１１の検査対象物であるＬ字継手１２ａ、Ｔ字継手１２ｂ，１２ｃ，１２ｄ及び逆止弁１２ｅを、各支承手段２の支承部材４に夫々装着し、前記可動支承手段２ａ，２ｂ，２ｄ，２ｅの各々に取り付けられた１本の触針６が、基台３及び可動支承手段２ｂ，２ｅの各々に取り付けられた電極７，８の何れかに接触することにより通電してＮＧ信号を出力するか否かを簡便に検査できるのである。
【００４３】
＜実施例＞
今、図２に示したリターンホース１１の構成において、下記の設計寸法を有する長尺検査対称体を考える。そして、Ｌ字継手１２ａを基準として、各検査対象物１２間の間隔の寸法公差の最少値を右方向に順次加算した各継手１２ｂ，１２ｃ，１２ｄもしくは逆止弁１２ｅまでの最少寸法、及び前記寸法公差の最大値を右方向に順次加算した各継手１２ｂ，１２ｃ，１２ｄもしくは逆止弁１２ｅまでの最大寸法が、夫々表１の如く求められる。
Ｓ１＝Ｓ２＝Ｓ３＝１０８ｍｍ，Ｓ４＝１９１ｍｍ，
Ｃ１＝Ｃ２＝Ｃ３＝Ｃ４＝＋２ｍｍ
【００４４】
そして、実施例においては、図１に示した相対位置検査装置１を用い、前記リターンホース１１のサンプルにおいて、前記Ｔ字継手１２ｃを基準支承手段２ｃの支承部材４ｃに装着して支承させる一方、Ｌ字継手１２ａ、Ｔ字継手１２ｂ，１２ｄと逆止弁１２ｅの各々を、可動支承手段２ａ，２ｂ，２ｄ，２ｅの各支承部材４ａ，４ｂ，４ｄ，４ｅに装着して支承させ、前記リターンホース１１の各検査対象物１２の相対位置を検査した結果、特にＮＧ信号は出力されなかった。その後、このリターンホース１１の各検査対象物１２の間隔Ｌ１〜Ｌ４をノギスにより測定したところ、表１に示す如く、全て寸法公差内にあることが確認された。
【００４５】
【表１】
0005108549.tif 000002
【００４６】
一方、比較例における相対位置検査装置として、前記Ｌ字継手１２ａを支承する支承部材４ａを基台３に固定した図示しない基準支承手段とする一方、Ｔ字継手１２ｂ，１２ｃ，１２ｄと逆止弁１２ｅの各々を支承する各支承手段を、基台３上にのみ相対移動可能に搭載された図示しない可動支承手段として構成した。そして、前記リターンホース１１と同一の構成を有する他のサンプルを用いて、各検査対象物１２を前記支承手段に装着して支承させ、前記検査対象物１２の相対位置を検査した結果、特にＮＧ信号は出力されなかった。
【００４７】
その後、このリターンホースサンプルの各検査対象物１２の間隔Ｌ１〜Ｌ４をノギスにより測定したところ、表１に示す如く、間隔Ｌ２，Ｌ３，Ｌ４が寸法公差外にあることが判明した。この原因は、検査対象物１２の各可動支承手段を基台３上のみ相対移動可能に搭載して構成したため、各間隔Ｌ１〜Ｌ４が各検査対象物１２の相対位置とならないことに起因している。
【００４８】
以上説明した通り、本発明に係る検査対象物の相対位置検査方法または装置によれば、検査対象物を支承する支承手段と、これらの支承手段を直接または間接的に搭載する基台とを備えると共に、前記の支承手段が、前記基台に固定された基準支承手段と、この基準支承手段に隣接する前記検査対象物を夫々支承し、前記基台上に相対移動可能に搭載された可動支承手段と、前記可動支承手段の次に隣接する前記検査対象物を夫々支承し、前記可動支承手段に相対移動可能に順次繰り返し積層された可動支承手段とからなる。
【００４９】
そして一方、前記可動支承手段の各々に取り付けられた１本の触針と、これらの可動支承手段が搭載された基台及び可動支承手段の各々に取り付けられた電極とを含む通電回路が夫々構成され、前記触針が前記電極の何れかに接触することにより通電して、ＮＧ信号を出力する様に構成されたので、長尺検査対象体の検査対象物を前記支承手段に装着することによって、複数個の前記検査対象物の相対位置を瞬時に検査可能である。
【図面の簡単な説明】
【００５０】
【図１】本発明の実施の形態に係るコモンレールシステムにおけるリターンホースの継手や逆止弁の相対位置検査方法及び装置を説明するための模式図である。
【図２】コモンレールシステム用リターンホースを説明するための外形図である。
【図３】従来例に係る接点の溶接位置検査方法を示す斜視図である。
【符号の説明】
【００５１】
Ｌ１，Ｌ２，Ｌ３，Ｌ４：測定対象物間の間隔，
ｌ１，ｌ２，ｌ３，ｌ４：支承部材軸心と電極との間隔
Ｓ１，Ｓ２，Ｓ３，Ｓ４：測定対象物間の基準寸法，
Ｃ１，Ｃ２，Ｃ３，Ｃ４：寸法公差の最大値，
１：（検査対象物の）相対位置検査装置，
２：支承手段，  ２ｃ：基準支承手段，  ２ａ，２ｂ，２ｄ，２ｅ：可動支承手段，
３：基台，
４，４ａ，４ｂ，４ｃ，４ｄ，４ｅ：支承部材，
５，５ａ，５ｂ，５ｄ，５ｅ：スライド台，
６，６ａ，６ｂ，６ｄ，６ｅ：触針，
７，７ａ，７ｂ，７ｄ，７ｅ：電極，
８，８ａ，８ｂ，８ｄ，８ｅ：電極，
１１：リターンホース（長尺検査対称体），
１２：検査対象物，  １２ａ：Ｌ字継手，  １２ｂ，１２ｃ，１２ｄ：Ｔ字継手，
１２ｅ：逆止弁，
１３：ホース，      １４：プロテクタ
【図１】
0005108549.tif 000003
【図２】
0005108549.tif 000004
【図３】
0005108549.tif 000005